(57)【要約】【課題】例えば菓子や文具、医薬品などの製品（内容物）を包装するための包装袋であり、より容易に且つ確実に、すなわち好適に開封して内容物を取り出すことが可能な包装袋を提供する。【解決手段】プラスチックフィルムを備えた積層体１を袋状に形成してなり、内容物１０を密閉状態で収納するための包装袋Ａであって、袋端部７に開封用切り欠き１１を設け、且つ、包装袋Ａの前面３及び背面４に、開封用切り欠き１１から包装袋Ａを順次切り裂いて開封する際に切り裂き線を所望の方向に誘導するための開封補助線１２を設けて形成する。さらに、少なくとも一部に弾性変形可能な部分を有する内容物１０を収納した状態で、開封補助線１２を内容物１０の弾性変形可能な部分と重なるように設けて形成する。【選択図】図３
2014166882.tif 000002
【特許請求の範囲】
【請求項１】
プラスチックフィルムを備えた積層体を袋状に形成してなり、内容物を密閉状態で収納するための包装袋であって、
袋端部に開封用切り欠きを設け、且つ、包装袋の前面及び背面に、前記開封用切り欠きから包装袋を順次切り裂いて開封する際に切り裂き線を所望の方向に誘導するための開封補助線を設けて形成されるとともに、
少なくとも一部に弾性変形可能な部分を有する前記内容物を収納した状態で、前記開封補助線が前記内容物の弾性変形可能な部分と重なるように設けられていることを特徴とする包装袋。
【請求項２】
請求項１記載の包装袋において、
前記積層体が、少なくともポリエチレンテレフタレート、アルミニウム、ヒートシール性樹脂の各層を備えて形成されていることを特徴とする包装袋。
【発明の詳細な説明】
【技術分野】
【０００１】
本発明は、例えば菓子や文具、医薬品、特に錠剤やカプセルなどを押し出すタイプの包装など、一定の形状をもった製品（内容物）を包装するための包装袋に関し、より容易に且つ確実に開封して内容物を取り出すことが可能な包装袋に関する。
【背景技術】
【０００２】
例えば菓子や文具、医薬品、特に錠剤やカプセルなどを押し出すタイプの包装など、一定の形状を持った製品を包装するものとして、プラスチックフィルムを主体とする積層材料からなるガゼット、平パウチ、背貼り（合掌）などの各種包装袋が多用されている。また、ガゼット形式の包装袋は、容量も大きく、効率よく梱包できるため、近年、特に多くの製品の包装に利用されている。
【０００３】
一方、この種の包装袋は、例えば、袋端部にＶ型、Ｉ型などのノッチ（開封用切り欠き）を設け、このノッチを利用して包装袋を引き裂いて開封できるように形成されている。しかしながら、特にガゼット形式の包装袋では、側面部分が折り重なっているため、ノッチから包装袋を引き裂いて開封する際に大きな力が必要になり、単に袋端部にノッチを設けただけでは、包装袋をスムーズに切り裂くことができなかったり、引き裂かれる側の包装袋片が内容物の製品にぶつかって直線状に開封できず、開口が小さくなって開封されてしまう場合があった。そして、このように折り込まれた側面部分を全て取り去るように包装袋を開封できないことにより、内容物の製品が取り出しにくくなる。
【０００４】
これに対し、特許文献１には、包材の上端縁から下端縁に向かってジッパー状の切れ目線を設け、この切れ目線に沿って開封できるようにした包装袋が開示されている。また、特許文献１の包装袋においては、切れ目線を包装袋の側端に対してほぼ平行に、且つ包装袋の中心線より外側の側端側に設けることによって、ジッパー状の切れ目線に沿って容易に且つ内容物が取り出しやすいように直線状に開封できるようにしている。
【先行技術文献】
【特許文献】
【０００５】
【特許文献１】特開平０８−２１７０９４号公報
【発明の概要】
【発明が解決しようとする課題】
【０００６】
しかしながら、特許文献１に開示された包装袋においては、引き裂き部分が内容物に到達した際に、直進開封性が阻害され、引き裂き力が斜め方向へと分散して、やはり、中身を取り出せるほどに十分な開口面積で開封することができないおそれがあった。言い換えれば、内容物の性状、量等に起因して、斜めに包装袋が引き裂かれてしまうおそれがあった。
【０００７】
本発明は、上記事情に鑑み、例えば菓子や文具、医薬品などの製品（内容物）を包装するための包装袋であり、より容易に且つ確実に、すなわち好適に開封して内容物を取り出すことが可能な包装袋を提供することを目的とする。
【課題を解決するための手段】
【０００８】
上記の目的を達するために、この発明は以下の手段を提供している。
【０００９】
本発明の包装袋は、プラスチックフィルムを備えた積層体を袋状に形成してなり、内容物を密閉状態で収納するための包装袋であって、袋端部に開封用切り欠きを設け、且つ、包装袋の前面及び背面に、前記開封用切り欠きから包装袋を順次切り裂いて開封する際に切り裂き線を所望の方向に誘導するための開封補助線を設けて形成されるとともに、少なくとも一部に弾性変形可能な部分を有する前記内容物を収納した状態で、前記開封補助線が前記内容物の弾性変形可能な部分と重なるように設けられていることを特徴とする。
【００１０】
また、本発明の包装袋においては、前記積層体が、少なくともポリエチレンテレフタレート、アルミニウム、ヒートシール性樹脂の各層を備えて形成されていることがより望ましい。
【発明の効果】
【００１１】
本発明の包装袋においては、例えば菓子や文具、医薬品、特に錠剤やカプセルなどを押し出すタイプのＰＴＰ包装などの一定の形状をもち、且つ少なくとも一部に弾性変形可能な部分（クッション性のある部分）を有する製品を内容物として収納した際に、開封補助線が内容物の弾性変形可能な部分と重なるように設けられている。
【００１２】
これにより、開封用切り欠きから包装袋を引き裂いて順次開封補助線で誘導されて開封する際に、開封が進むにつれて内容物が徐々に膨らんで開封口が広がってゆき、内容物が取り出しやすいように包装袋を自ずと直線的に引き裂くことが可能になる。すなわち、内容物が弾性変形することによって、引き裂いた包装片が内容物にぶつかって切り裂き線が所望の方向から大きく逸脱するようなことがなく、より容易に且つ確実に、十分な開口面積が得られるように包装袋を開封することができる。
【００１３】
また、内容物を収納した状態で、開封補助線が内容物の弾性変形可能な部分と重なるように設けられていることにより、開封時に包装袋を掴みやすく、この点からも包装袋を開封補助線に誘導させて好適に引き裂くことが可能になる。
【００１４】
よって、本発明の包装袋によれば、開封に失敗することもなく、スムーズに開封でき、指や腕の力が強くない人であっても、簡単に開封できる。これにより、例えば、病人や老人などでも、周囲の人に手伝ってもらうことなく、ＰＴＰ包装された医薬品等（弾性変形可能な部分を有する内容物）を包装袋から好適に開封して取り出すことが可能になる。
【００１５】
また、本発明の包装袋においては、積層体が少なくともポリエチレンテレフタレート、アルミニウム、ヒートシール性樹脂の各層を備え、この積層体を用いて形成されていることにより、より確実に、内容物を弾性変形させつつ切り裂き線を開封補助線で所望の方向に誘導し、所望の開口面積が得られるように開封することが可能になる。
【００１６】
ここで、本発明において、「内容物の弾性変形可能な部分」とは、上記のように「開封が進むにつれて内容物が徐々に膨らんで開封口が広がってゆき、内容物が取り出しやすいように包装袋を自ずと引き裂くことを可能にする程度の弾性係数を有する部分を意味する。
【図面の簡単な説明】
【００１７】
【図１】本発明の一実施形態に係る包装袋を示す図であり、内容物を収納していない状態を示す図である。
【図２】本発明の一実施形態に係る包装袋を示す図である。
【図３】本発明の一実施形態に係る包装袋を示す図であり、内容物を収納した状態を示す斜視図である。
【図４】本発明の一実施形態に係る包装袋の開封補助線の形状の例を示す図である。
【発明を実施するための形態】
【００１８】
以下、図１から図４を参照し、本発明の一実施形態に係る包装袋について説明する。
はじめに、本実施形態の包装袋は、例えば菓子や文具、医薬品、錠剤やカプセルなどを押し出すタイプのＰＴＰ（Ｐｒｅｓｓ  Ｔｈｒｏｕｇｈ  Ｐａｃｋ）包装などの製品、特に、一定の形状をもち、且つ弾性変形可能な製品（少なくとも一部に弾性変形可能な部分を有する内容物）を包装するものである。また、本実施形態では、この包装袋がガゼット形式の包装袋であるものとして説明を行う。
【００１９】
本実施形態の包装袋Ａは、まず、図１に示すように、プラスチックフィルムを主体とした積層体フィルム（積層体）１を袋状に形成して構成されている。例えば、積層体フィルム１の両端部をシールして背シール２とし、背シール２の反対側の前面３と、背シール２を中央に抱く背面４と、左右の折り込み部５とで構成されている。
【００２０】
また、本実施形態の包装袋Ａは、上下にそれぞれシール処理が施されてなる包装袋、いわゆるサイドガゼットタイプの包装袋であり、図１及び図２に示すように、下端（袋端部）６が左右の折り込み部５を織り込んだままシールされている。これにより、折り込み部分５１は積層体１を四重に積層した状態でシールされ、この折り込み部分５１より内側の部分は二重になってシールされている。
【００２１】
図２及び図３に示すように、この状態で、内容物１０を収納し、内容物１０を収納するとともに上端（袋端部）７も下端６と同様にシールされる。そして、このように形成したガゼット形式の包装袋Ａは、マチがあることで、断面四角形状の筒状に形成され、コンパクトでありながら、大きな製品やある程度の厚みを持った一定の大きさがある形状の製品を内容物１０として包装するのに適している。
【００２２】
一方、本実施形態において、包装袋Ａを構成する積層体１の基本素材となる外層フィルムには、例えば、ポリエステル系、ポリアミド系、ポリプロピレン系、ポリカーボネート系、セロファン等のプラスチックフィルムを用いることができる。さらに、フィルムの内層側に印刷を施こす場合が多いため、この外層として使用する合成樹脂製フィルムには、印刷適性が求められ、２軸方向に延伸した延伸フィルムを用いることがより好ましい。
【００２３】
さらに、この合成樹脂製フィルムは、マチにも使用されるので、最内層のヒートシール性樹脂を加熱溶融する際に、その熱で外層の樹脂が溶融しないことも必要になる。そして、この高温に耐えることが必要である点からも、最大限に結晶化を図って形成される延伸フィルムを用いることが好ましい。
【００２４】
さらに、その中でも、特にポリエチレンテレフタレートの２軸延伸フィルムを用いることが好ましく、再生樹脂を使用したポリエチレンテレフタレートを用いた場合でも印刷適性や高温耐性等に関する良好な結果を得ることができる。なお、ポリアミド系やポリプロピレン系などでも無延伸のフィルムの場合は、伸びが大きく、切り裂かれにくいという性質があるので、その適用には注意が必要である。
【００２５】
また、フィルムの厚みとしては、基本素材としての強度、剛性などについて必要最低限に保持され得る厚さであればよい。また、詳細を後述するノッチ１１で切り裂く時に容易に切り裂かれるような厚みである必要もあり、１２〜２５μｍ程度が適当である。
【００２６】
さらに、フィルムの内側に、アルミニウムや酸化珪素、酸化アルミニウム、酸化インジウム、酸化錫、酸化ジルコニウム等の無機物の蒸着層を形成する。このような蒸着層は、包材に水分や酸素などのバリア性を付与し、さらに、カット性を向上させる。そして、このような無機物の蒸着工程を行うという点からも、外層基材は耐熱性等に優れる２軸延伸のポリエステルフィルムであることが有利である。
【００２７】
さらに、上記蒸着層の代わりに、金属箔、例えば、アルミニウム、鉄、銅、錫等の金属箔、あるいは、ポリエチレンテレフタレート、ポリアミド、ポリエチレン、ポリプロピレン等のポリオレフィン、ポリ塩化ビニル、ポリカーボネート、ポリビニルアルコール、エチレン−プロピレン共重合体、エチレン−酢酸ビニル共重合体ケン化物等のフィルムに、アルミニウムや酸化珪素、酸化アルミニウム、酸化インジウム、酸化錫、酸化ジルコニウム等の無機物の蒸着を施したフィルムあるいはポリ塩化ビニリデン等のフィルムや紙などを使用することができ、これらは単体または２種以上組み合わせて使用しても良い。
【００２８】
また、これらのフィルムを中間層に設けることにより、ガスバリア性、水蒸気バリア性、機械的強度、耐屈曲性、耐突き刺し性、耐衝撃性、耐磨耗性、耐寒性、耐熱性、耐薬品性、遮光性等を向上させ、内容物の劣化を防ぐことが可能になる。
【００２９】
次に、最内層は溶融し相互に融着するヒートシール性を有する樹脂を使用する。例えば、高圧法低密度ポリエチレン、直鎖状低密度ポリエチレン、中密度ポリエチレン、高密度ポリエチレン、ポリプロピレン、エチレン−プロピレン共重合体、エチレン−酢酸ビニル共重合体、アイオノマー樹脂、エチレン−アクリル酸共重合体、エチレン−アクリル酸エステル共重合体、エチレン−メタクリル酸共重合体（ＥＭＭＡ）等が挙げられる。これらは単体または２種以上を混合して使用しても、多層化しても良く、樹脂およびこれらをフィルム化したシートを使用しても良い。厚みとしては１５〜１００μｍが望ましく、３０〜５０μｍがより好ましい。
【００３０】
フィルムの接着方法としては、例えば、ウエットラミネーション方法、ドライラミネーション方法、ノンソルベントドライラミネーション方法、ホットメルトラミネーション方法、エクストルージョンラミネーション方法、及び該エクストルージョンラミネーション方法を利用したサンドイッチラミネーション方法などの公知の方法を使用することができる。
【００３１】
また、本実施形態の包装袋Ａには、下端６と上端７のシール部分（袋端部）で、かつ、背シール２と側面最深部５２との間に、開封用切り欠きのノッチ１１が設けられている。なお、側面最深部５２は、折り込み部分５１の折り返し部分であり、折り込み部分５１の中で一番背シール２に近い所になる。また、この開封用切り欠き１１の位置は、積層体１が二重でシールされた部分となる。このため、開封用切り欠き１１から包装袋Ａを切り裂き始める際には、抵抗が少なくて済む。
【００３２】
ここで、開封用切り欠き１１は、下端６と上端７のいずれか一方に設けても、両方に設けても構わない。また、本実施形態では、開封用切り欠き１１のノッチ形状がＶの字やＩの字としているが、単に切り込み線を入れた形状など、任意の形状を使用することができる。すなわち、外層のような主要なフィルム又は積層体全体が部分的に、端部だけ切れて、容易に切り裂くきっかけになるように形成されていれば、特に開封用切り欠き１１の形状を限定する必要はない。
【００３３】
さらに、本実施形態の包装袋Ａには、前面３及び背面４に、開封用切り欠き１１から包装袋Ａを順次切り裂いて開封する際に切り裂き線を所望の方向に誘導するための開封補助線１２が設けられている。
【００３４】
図４（図２、図３）に示すように、開封補助線１２の加工する形状は、切り裂く時の振れが左右どちらに行きかけても、切り裂き方向が真直ぐに誘導されるように、Ｉの字、ハの字、Ｕの字、Ｖの字などの任意の形状を採用することができ、特に、ハの字やＶの字形状が好ましい。但し、ノッチ１１の近傍など、側面５との境界５３から離れた部分では、ノの字や、ノの字と反対向きの形状であっても構わない。この場合、開封用切り欠き１１の位置は、上側または下側の一方だけに加工するようになる。
【００３５】
また、開封補助線１２の加工する加工深さは、基本的に外層フィルムの厚み以内であるが、積層体全体厚みの３０％以上、９０％未満、好ましくは４０％〜７０％になるように加工する。開封補助線１２の加工方法としては、金属刃を直接包材に押し当て加工する方法、または連続またはパルス発振形式を有する炭酸ガスレーザー、ＹＡＧレーザー、エキシマレーザーなどのレーザー機を使用して加工する方法が挙げられる。金属刃を用いた方法の場合は印刷と同時加工が望ましく、レーザーを使用した方法の場合はスリット時に導入することが望ましい。
【００３６】
さらに、本実施形態の開封補助線１２は（ミシン目上の切れ目線は）、包装袋Ａの前面３及び背面４の開封用切り欠き１１から折り込み５との境界５３までの間の位置で、境界５３と並行に設けられている。また、開封補助線１２の線幅や本数に特に規定はないが、開封途中に折り込み５の側面最深部５２が残ることにならないように、切り裂いて除く部材（包装袋片）の方につなげる形で開封できるようにする。
【００３７】
さらに、本実施形態の包装袋Ａにおいては、図３に示すように、例えば菓子や文具、医薬品、特に錠剤やカプセルなどを押し出すタイプのＰＴＰ包装などの一定の形状をもち、且つ少なくとも一部に弾性変形可能な部分（クッション性のある部分）を有する製品を内容物１０として収納した際に、開封補助線１２が内容物１０の弾性変形可能な部分と重なるように設けられている。
【００３８】
ここで、図３では、２枚のＰＴＰシートを、突出した薬剤収容部位が対向するように向い合わせ、上側の薬剤収容部位と下側の薬剤収容部位とがＰＴＰシートの長手方向に交互に並ぶように重ねている。さらに、このような２枚のＰＴＰシートからなる組を厚さ方向に二組重ねて内容物１０とした状態を示している。そして、ＰＴＰ包装からなるこのような内容物１０はほぼ全体が弾性変形可能で、４枚重ねた状態でもクッション性がある。本実施形態では、弾性変形可能な部分が開封補助線１２と重なって配置されており、かつ折り込み部分５１が伸展する方向と、内容物１０が弾性変形しやすいＰＴＰシートの重ね方向とが一致している。なお、例えば、一部にゴムが取り付けられた製品を内容物１０として収納する際には、収納した状態で、この一部の弾性変形可能な部分（ゴムの部分）と重なる位置に開封補助線１２を設けて、包装袋Ａを形成すればよい。
【００３９】
そして、まず、上記のように開封補助線１２の位置を明確に規定することにより、開封補助線１２に沿って直線的に切り裂かれるか、内容物１０にぶつかっても、外側の開封補助線１２に裂け目が移りながら所望の許容範囲内で切り裂かれるようになる。且つ、開封用切り欠き１１を包装袋Ａの上下両端シール部６、７の背シール貼り２と側面最深部５２の間に設けることにより、開封開始する場所は積層体１が２枚重なった部分になるため、より小さい力で開封が可能になるだけでなく、開封時に掴む面積を広く取ることが可能になる。このため、開封しやすい包装袋Ａを形成することが可能になる。
【００４０】
さらに、本実施形態の包装袋Ａでは、内容物１０の弾性変形可能な部分に開封補助線１２を重ねて形成されているため、開封用切り欠き１１から包装袋Ａを引き裂いて順次開封補助線１２で誘導されて開封する際に、例えば開封が進むにつれて内容物１０が徐々に膨らんで開封口が広がってゆき、内容物１０が取り出しやすいように包装袋Ａを自ずと直線的に引き裂くことが可能になる。すなわち、内容物１０が弾性変形することによって、引き裂いた包装片が内容物１０にぶつかって切り裂き線が所望の方向から大きく逸脱するようなことがなく、より容易に且つ確実に、十分な開口面積が得られるように包装袋Ａを開封することができる。
【００４１】
また、内容物１０を収納した状態で、開封補助線１２が内容物１０の弾性変形可能な部分と重なるように設けられていることにより、開封時に包装袋Ａを掴みやすく、この点からも包装袋Ａを開封補助線１２に誘導させて好適に引き裂くことが可能になる。
【００４２】
よって、本実施形態の包装袋Ａによれば、開封に失敗することもなく、スムーズに開封でき、指や腕の力が強くない人であっても、簡単に開封できる。これにより、例えば、病人や老人などでも、周囲の人に手伝ってもらうことなく、ＰＴＰ包装された医薬品等（弾性変形可能な部分を有する内容物１０）を包装袋Ａから好適に開封して取り出すことが可能になる。
【００４３】
また、本実施形態の包装袋Ａは、積層体１が少なくともポリエチレンテレフタレート、アルミニウム、ヒートシール性樹脂の各層を備え、この積層体１を用いて形成されていることにより、より確実に、内容物１０を弾性変形させつつ切り裂き線を開封補助線１２で所望の方向に誘導し、所望の開口面積が得られるように開封することが可能になる。
【００４４】
〔実施例〕
ここで、本発明に係る包装袋Ａの優位性を確認した試験結果について説明する。なお、本実施例は本発明に係る包装袋Ａについてより詳細に説明することになるが、勿論、本発明はこの実施例の記載、内容に限定されるものではない。
【００４５】
はじめに、本実施例では、包装袋の外層とする厚さ１２μｍ、７２０ｍｍ幅の二軸延伸ポリエチレンテレフタレートフィルムの流れ方向にハの字形状の貫通ミシン目（開封補助線１２）を４列、前面、背面のミシン目幅が７ｍｍとなるように設けた後、厚さ７μｍ、７００ｍｍ幅のアルミニウム箔と、厚さ３０μｍ、７００ｍｍ幅の密度０．９４ｇ／ｃｍ３ の直鎖状低密度ポリエチレンフィルムとを、低密度ポリエチレンを使用したエクストルージョンラミネーション法により貼合せ、積層体を得た。
【００４６】
そして、本実施形態のようにクッション性のある製品（弾性変形可能な内容物１０）を収納するように形成した実施例１、実施例２、実施例３と、クッション性に乏しい硬質の製品（内容物）を収納するように形成した比較例１、比較例２とを用いて、開封補助線１２に沿って開封する際の開封適性を確認した。
【００４７】
具体的に、表１に示すように、実施例１では、クッション性のある内容物として綿菓子を収納し、厚みが１０ｍｍとなるように包装袋を形成した。実施例２では、クッション性のある内容物としてマシュマロを収納し、厚みが２０ｍｍとなるように包装袋を形成した。実施例３では、クッション性のある内容物として、図３のように重ねた４枚のＰＴＰシートを、図３に示すように、ＰＴＰシートの平面状の部位が包装袋の上下方向（上端６と下端７とを結び、かつ背シール２と平行な線の延びる方向）と平行となるように収納し、厚みが２０ｍｍとなるように包装袋を形成した。４枚のＰＴＰシートを重ねた内容物の見掛けの外形は８０×３５×２０ｍｍであった。
実施例４では、図３のように重ねた４枚のＰＴＰシートを、ＰＴＰシートの平面状の部位が包装袋の上下方向と交差するように収納し、厚みが２０ｍｍとなるように包装袋を形成した。すなわち、実施例４では、折り込み部分５１が伸展する方向と、内容物１０が弾性変形しやすいＰＴＰシートの重ね方向とが一致していない。
【００４８】
【表１】
2014166882.tif 000003
【００４９】
一方、比較例１では、クッション性に乏しい内容物としてブロック状の菓子を収納し、厚みが１５ｍｍとなるように包装袋を形成した。また、比較例２では、クッション性に乏しい内容物としてプラスチック片を収納し、厚みが２０ｍｍとなるように包装袋を形成した。
【００５０】
そして、綿菓子、マシュマロ、ＰＴＰシートのクッション性のある内容物１０を収納した実施例１、実施例２、実施例３、および実施例４では、内容物１０にクッション性があることで密封包装のように、開封時に、開封が進むにつれて内容物１０が徐々に膨らんで、開封口が広がってゆく。これにより、内容物１０が取り出しやすいように包装袋Ａが自ずと直線的に引き裂かれることが確認された。また、クッション性のある内容物１０を収納していることで、開封時に包装袋Ａを掴みやすく、この点からも包装袋Ａが好適に引き裂かれてゆくことが確認された。ただし、実施例４では、折り込み部分５１が伸展する方向と、内容物１０が弾性変形しやすいＰＴＰシートの重ね方向とが一致していないため、開封口の広がり方が実施例３に比べ小さかったが、一定の効果は得られた。
【００５１】
一方、ブロック状の菓子を内容物として収納した比較例１では、内容物にクッション性がないため、開封時に包装袋が掴みにくい。また、開封補助線１２に沿って開封している途中で、引き裂いた包装袋片が内容物の角部にぶつかり、この包装袋片が千切れてしまった。さらに、内容物の角が砕けてしまうことも確認された。これにより、ブロック状の菓子を内容物として収納した比較例１では、好適に包装袋を開封することができないことが確認された。
【００５２】
また、プラスチック片を内容物として収納した比較例２においても、内容物にクッション性がないため、開封時に包装袋が掴みにくい。また、開封補助線に沿って開封している途中で、引き裂いた包装袋片が内容物の角部にぶつかり、この包装袋片が千切れてしまった。これにより、プラスチック片を内容物として収納した比較例２においても、好適に包装袋を開封することができないことが確認された。
【００５３】
よって、クッション性（弾性）を有する製品を内容物１０として収納し、この弾性変形可能な部分と重なるように開封補助線１２を設けることで、容易に且つ確実に、内容物１０が取り出しやすいように本実施形態の包装袋Ａを直線的に引き裂くことができることが実証された。
【００５４】
以上、本発明に係る包装袋の一実施形態について説明したが、本発明は上記の一実施形態に限定されるものではなく、その趣旨を逸脱しない範囲で適宜変更可能である。
例えば、本実施形態では、内容物を包装するための包装袋がガゼット形式の包装袋であるものとして説明を行ったが、本発明は、ガゼット形式の包装袋に限定する必要はなく、平パウチ、背貼り（合掌）など、他の形式の包装袋であっても勿論適用可能である。そして、他の形式の包装袋であっても、本実施形態と同様の作用効果を得ることが可能である。
【符号の説明】
【００５５】
１  積層体（積層体フィルム）
２  背シール
３  前面
４  背面
５  折り込み部（側面）
５１  折り込み部分
５２  側面最深部
５３  境界
６  下端（袋端部）
７  上端（袋端部）
１０  内容物
１１  開封用切り欠き（ノッチ）
１２  開封補助線
Ａ  包装袋
【図１】
2014166882.tif 000004
【図２】
2014166882.tif 000005
【図３】
2014166882.tif 000006
【図４】
2014166882.tif 000007